(57)【要約】【課題】複写すると文字の可読性が低下して原稿の複写抑止効果が高められるパターンを生成し原稿画像に合成することのできる画像生成装置を提供する。【解決手段】画像形成装置は、複写時難読化印刷を行うと、潜像部と背景部とで構成されたパターンを、原稿画像に含まれている文字のサイズに従って決定し生成して、そのパターンを含んだ地紋画像を原稿画像に合成する。この地紋画像（パターン）の合成された原稿画像を印刷し、この印刷物である原稿を画像形成装置で複写すると、その複写物には原稿の画像が複写されると共に、再現された潜像部と再現されない背景部とで構成されたパターンが現れ、潜像部と背景部の間に高いコントラストが生じる。この複写物を見ると、パターンにおける潜像部と背景部のコントラストが大きく知覚され、文字とその背景のコントラストが知覚され難くなって文字が読み難くなる。【選択図】図１９
2012109748.tif 000002
【特許請求の範囲】
【請求項１】
複写時に再現される潜像部と、前記潜像部の周囲に配置され複写時に再現されない背景部とで構成されたパターンを生成し原稿画像に合成する画像生成装置であって、
原稿画像に含まれている文字のサイズに従って前記パターンを決定し生成して前記原稿画像に合成する画像処理部を有する
ことを特徴とする画像生成装置。
【請求項２】
前記画像処理部は、前記文字の位置とサイズを検出し、該検出した文字の位置とサイズに従って前記パターンを決定する
ことを特徴とする請求項１に記載の画像生成装置。
【請求項３】
前記画像処理部は、前記合成では前記潜像部を前記文字に重ねて配置する
ことを特徴とする請求項２に記載の画像生成装置。
【請求項４】
前記潜像部は、前記文字のサイズ未満から１／４以上の範囲の大きさである
ことを特徴とする請求項１〜３のいずれか１つに記載の画像生成装置。
【請求項５】
前記潜像部は、前記文字との濃度差よりも白色との濃度差の方が大きくなる濃度である
ことを特徴とする請求項１〜４のいずれか１つに記載の画像生成装置。
【請求項６】
前記潜像部と前記背景部の濃度は同じにして前記パターンの濃度を変更する操作を受け付ける濃度変更部を有する
ことを特徴とする請求項１〜５のいずれか１つに記載の画像生成装置。
【請求項７】
前記パターンのサイズを、前記文字のサイズに従って決定される許容範囲内で変更する操作を受け付けるサイズ変更部を有する
ことを特徴とする請求項１〜６のいずれか１つに記載の画像生成装置。
【請求項８】
前記原稿画像における文字以外の領域に対する前記パターンの配置の仕方を変更する操作を受け付ける配置変更部を有する
ことを特徴とする請求項１〜７のいずれか１つに記載の画像生成装置。
【請求項９】
前記複写時に現れる前記パターンの模様は、市松模様と、格子模様と、水玉模様とのうちの少なくとも１つを含む
ことを特徴とする請求項１〜８のいずれか１つに記載の画像生成装置。
【請求項１０】
請求項１〜９のいずれか１つに記載の画像生成装置と、
前記画像生成装置によって生成されたパターンを原稿画像に合成した画像を記録紙上に画像形成して出力する画像形成部と、
を有する
ことを特徴とする画像形成装置。
【請求項１１】
複写時に再現される潜像部と、前記潜像部の周囲に配置され複写時に再現されない背景部とで構成されたパターンを生成し原稿画像に合成する画像生成方法であって、
原稿画像に含まれている文字のサイズに従って前記パターンを決定し生成して前記原稿画像に合成する画像処理工程を有する
ことを特徴とする画像生成方法。
【発明の詳細な説明】
【技術分野】
【０００１】
本発明は、複写時に再現される潜像部と再現されない背景部とで構成された地紋画像を生成する画像生成装置、画像形成装置、および画像生成方法に関する。
【背景技術】
【０００２】
原本と、この原本を複写機で複写して得た複写物とを一目瞭然に区別可能にする技術として、原本では隠れていた文字などが、複写すると浮かび上がる、所謂、地紋画像がある。地紋画像は、複写時に再現される潜像部と再現されない背景部とからなり、潜像部と背景部の見た目の濃度は同一であって判別しにくいようにされている。かかる地紋画像は、読み取り解像度の限界から「分散した小さいドットは読み取れない」という装置の特性を利用したものであり、背景部は上記のような分散した小さいドットで構成し、潜像部は読み取り可能なサイズのドット、あるいは小さいドットが集合したドットで構成するようになっている。
【０００３】
たとえば、複写時に、白地に文字が浮かび上がるようにする場合は、文字を潜像部とし、文字以外の部分を背景部とした地紋画像にすればよい。一方、複写時に、地の中に白抜きの文字が浮かび上がるようにする場合は、文字を背景部とし、文字以外の部分を潜像部として地紋画像を原本の地画像にすればよい。
【０００４】
このような地紋画像では、隠されている文字を目視で判別困難にすることが重要であるが、潜像部と背景部とのマクロ的な濃度を同一にする必要があるので、潜像部においては、比較的大きいドットを低密度で配置することになる。このため、目視距離が近い場合には、潜像部のドットが目立ち、見た目の美しさが損なわれたり、潜像部と背景部の判別困難性が低下したりする。
【０００５】
このような問題に対応する技術として、たとえば、特許文献１、２には、潜像部の大きなドット間に、複写時に再現されなくてもよい小さいドットを埋め込むことで、潜像部を目立たなくさせる（潜像部と背景部の境界をわかりにくくする）技術が開示されている。また、潜像部においては、潜像部を構成する大きいドットを市松模様状に配置し、潜像部内の残りの領域に小さいドットを市松模様状に配置するようにしている。
【０００６】
一方、地紋画像は、複写の禁止を示す文字などを埋め込み、原本の複写時に複写物に浮かび上がらせることで、原本の複写を抑止させるために利用されている。また、たとえば、特許文献３に開示されているように、原本の文字自体を文字単位で、複写時に再現される大きさのドットの領域と複写時に再現されない大きさのドットの領域とで構成し、複写すると元の文字の一部が消えて読めなくなることにより、原本の情報漏洩を防止できるようにした技術もある。さらにこの技術では、文字の消失部分を再現させるために濃度を濃くして複写が行われたとしても、その高濃度の複写時のみに市松模様状のパターンが浮かび上がる地紋画像を原本に印刷しておくことにより、高濃度で複写が行われた場合にはそのパターンによって文字が読み難くなるようにしている。
【先行技術文献】
【特許文献】
【０００７】
【特許文献１】特開２００５−１５１４５６号公報
【特許文献２】特開２００７−１４３１１１号公報
【特許文献３】特開２００８−１０４１２９号公報
【発明の概要】
【発明が解決しようとする課題】
【０００８】
上述したように、印刷物（原本）に地紋画像を印刷することで、複写時にそれが複写されたものであるかどうか、または、複写が禁止されたものかどうかがわかるように、情報を埋め込むことができる。しかしながら、この効果は、心理的な抑止効果のみにとどまり、複写が禁止であっても、悪意のあるユーザがこれを無視すれば実際上の効果を発揮することはない。
【０００９】
特許文献１、２に開示されているように、地紋画像の潜像部において、低密度に配置された大きいドット間に、複写時に再現されなくてもよい小さいドットを、互いが市松模様状となるように配置することで、潜像部と背景部の境界をわかりにくくする効果は高められる。しかし、原本の文字との関係を考慮することなく潜像部（大きいドット間に小さいドットが互いに市松模様状となるように配置された潜像部）を配置するので、たとえば、原本から複写物に複写された文字がその複写物に現れた潜像部の模様などによって可読性が低下されるような効果は得られず、やはり、複写を実際に抑止させる効果は発揮できない。
【００１０】
原本の文字を領域毎に大小のドットで構成することにより、複写後の文字の一部を消失させて可読性を低下させる特許文献３の技術では、例示されている１２×１２ピクセルなどのように画像をある程度のまとまりで構成するため、画像が粗くなってしまう（６００dpiの場合は１２ピクセルで０．５ｍｍ程度）。さらに、文字を領域毎に大小のドットで構成するため、文字の見た目の美しさが損なわれてしまう。また、原本に印刷した地紋画像に隠してある市松模様状のパターンを複写時に浮かび上がらせて文字の可読性を低下できるのは、高濃度の複写時のみに限られる。
【００１１】
また、地紋画像、あるいはその他印刷時に付加された情報を複写機で読み取り、複写禁止を示す情報が含まれていた場合に、複写を不可とする技術もあるが、これは本機能を搭載した特定の複写機に限られ、本機能を搭載していないその他の多くの複写機では複写できてしまう問題がある。
【００１２】
本発明は、上記の問題を解決しようとするものであり、複写すると文字の可読性が低下して原稿の複写抑止効果が高められるパターンを生成し原稿画像に合成することのできる画像生成装置、画像形成装置、および画像生成方法を提供することを目的としている。
【課題を解決するための手段】
【００１３】
かかる目的を達成するための本発明の要旨とするところは、次の各項の発明に存する。
【００１４】
［１］複写時に再現される潜像部と、前記潜像部の周囲に配置され複写時に再現されない背景部とで構成されたパターンを生成し原稿画像に合成する画像生成装置であって、
原稿画像に含まれている文字のサイズに従って前記パターンを決定し生成して前記原稿画像に合成する画像処理部を有する
ことを特徴とする画像生成装置。
【００１５】
上記発明では、複写時に再現される潜像部と、この潜像部の周囲に配置され複写時に再現されない背景部とで構成されたパターンを、原稿画像に含まれている文字のサイズに従って決定し生成して、原稿画像に合成する。パターンの合成された原稿画像を印刷し、この印刷物である原稿を複写すると、その複写物には原稿の画像が複写されると共に、再現された潜像部と再現されない背景部とで構成されたパターンが現れる。このパターンには、再現された潜像部と再現されない背景部の間に高いコントラスト（濃度差）が生じる。パターンは、このコントラストによって文字に干渉し（人間の目で文字を見たとき（読んだとき）の視覚的な干渉）、文字を読み難くする。
【００１６】
ただし、文字に対してパターンが大きすぎると、パターンは文字と区別して見られ、文字に対する視覚的な干渉が小さくなる。逆に、文字に対してパターンが小さすぎると、パターンのコントラストが識別（知覚）され難くなり、パターンは文字の背景（一様な濃度の背景）として見られ、やはり文字に対する視覚的な干渉が小さくなる。
【００１７】
このように、文字に対するパターン（コントラスト）の干渉の大きさは、文字のサイズに依存しており、文字のサイズに従ってパターンを決定することで、そのサイズの文字に対して適切に干渉するパターンを決定することができる。たとえば、文字のサイズに従ってパターンの大きさ（潜像部と背景部の大きさ）を決定することで、そのサイズの文字に対して適切に干渉する大きさのパターンを決定することができる。また、大きさのほかに、形状（幾何模様、線状模様などの模様を含む）、周期（潜像部と背景部の配列周期）などを文字のサイズに従って決定するようにしてもよい。
【００１８】
これにより、原稿を複写してパターンの現れた複写物を見ると、パターンにおける潜像部と再現されない背景部のコントラストが大きく知覚され、文字とその背景のコントラストが知覚され難くなって文字が読み難くなる。すなわち、原稿から複写物に複写された画像に含まれている文字は、複写物に現れたパターンのコントラストによって可読性が低下する。
【００１９】
［２］前記画像処理部は、前記文字の位置とサイズを検出し、該検出した文字の位置とサイズに従って前記パターンを決定する
ことを特徴とする［１］に記載の画像生成装置。
【００２０】
上記発明では、原稿画像に含まれている文字の位置とサイズに従って、より適切なパターンを決定することができる。たとえば、文字の位置に対するパターンの相対位置を調整し、文字の可読性をより低下させるなどが可能となる。
【００２１】
［３］前記画像処理部は、前記合成では前記潜像部を前記文字に重ねて配置する
ことを特徴とする［２］に記載の画像生成装置。
【００２２】
上記発明では、潜像部を文字に重ねて配置することで、潜像部と、潜像部の周囲に配置する背景部との境界に生じる高コントラスト部が文字の近傍もしくは文字に重なって配置されるようになる。たとえば、文字とほぼ同じ大きさの潜像部を文字の中心に重ねて配置した場合には、文字の周囲に高コントラスト部が配置される。文字よりも小さい潜像部を文字に重ねて配置した場合には、文字に高コントラスト部が重なって配置される。これにより、文字に対してパターンのコントラストを強く知覚させ、文字の可読性を低下させる効果が高められる。
【００２３】
［４］前記潜像部は、前記文字のサイズ未満から１／４以上の範囲の大きさである
ことを特徴とする［１］〜［３］のいずれか１つに記載の画像生成装置。
【００２４】
文字に対して潜像部が大きすぎたり小さすぎたりすると、潜像部と背景部の間に生じるコントラストの周期が文字に対して大きすぎたり小さすぎたりすることとなり、文字に対してパターンのコントラストを大きく知覚させる効果（文字に対してパターンを大きく干渉させる効果）が薄れ、文字を読み難くする効果が薄れる。上記発明では、潜像部を文字のサイズ未満から１／４以上の範囲の大きさにすることで、文字に対してパターンのコントラストを適正な周期で配置でき、文字に対してパターンのコントラストをより強く知覚させ、文字の可読性を著しく低下させることができる。
【００２５】
［５］前記潜像部は、前記文字との濃度差よりも白色との濃度差の方が大きくなる濃度である
ことを特徴とする［１］〜［４］のいずれか１つに記載の画像生成装置。
【００２６】
上記発明では、文字と潜像部の濃度差よりも、白色と潜像部、すなわち、原稿を複写した複写物上では再現されない背景部と潜像部の濃度差の方が大きくなる。これにより、文字に対してパターンのコントラスト（濃度差）を強く知覚させ、文字の可読性を低下させる効果が高められる。
【００２７】
［６］前記潜像部と前記背景部の濃度は同じにして前記パターンの濃度を変更する操作を受け付ける濃度変更部を有する
ことを特徴とする［１］〜［５］のいずれか１つに記載の画像生成装置。
【００２８】
上記発明では、原稿画像に合成するパターンの濃度をユーザが変更できる。ただし、原稿上では潜像部と背景部の境界が目立たなくなるよう、潜像部と背景部の濃度は同じにしてパターンの濃度を変更する。
【００２９】
たとえば、パターンの濃度を低くした場合には、原稿にパターンが低濃度で印刷され、原稿上の画像（文字）がパターンによって見難くなることを抑えられる。パターンの濃度を高くした場合には、原稿にパターンが高濃度で印刷され、この原稿の複写物に現れるパターンも高濃度になり、複写物に複写された文字をパターンのコントラストによって読み難くする効果が高められる。このように、原稿の見易さや複写物の文字の見難さをパターンの濃度変更によって調整できることにより、利便性が高まる。
【００３０】
［７］前記パターンのサイズを、前記文字のサイズに従って決定される許容範囲内で変更する操作を受け付けるサイズ変更部を有する
ことを特徴とする［１］〜［６］のいずれか１つに記載の画像生成装置。
【００３１】
上記発明では、原稿画像に合成するパターンのサイズをユーザが変更できる。ただし、原稿画像に合成するパターンは、原稿画像に含まれている文字のサイズに従って決定されるので、その文字のサイズに従って決定される許容範囲内で変更する。これにより、ユーザが原稿画像に含まれている文字のサイズに応じてパターンのサイズを許容範囲内で変更するなどすれば、その原稿を複写した複写物の文字の見難さをパターンのサイズ変更によって調整できるようになり、利便性が高まる。
【００３２】
［８］前記原稿画像における文字以外の領域に対する前記パターンの配置の仕方を変更する操作を受け付ける配置変更部を有する
ことを特徴とする［１］〜［７］のいずれか１つに記載の画像生成装置。
【００３３】
上記発明では、原稿画像における文字以外の領域（白地部分）に対するパターンの配置の仕方をユーザが変更できる。たとえば、文字以外の領域にパターンを配置するまたは配置しないなどの変更が可能となる。
【００３４】
［９］前記複写時に現れる前記パターンの模様は、市松模様と、格子模様と、水玉模様とのうちの少なくとも１つを含む
ことを特徴とする［１］〜［８］のいずれか１つに記載の画像生成装置。
【００３５】
上記発明では、複写時に現れるパターンの模様（複写時に再現される潜像部と、この潜像部の周囲に配置され複写時に再現されない背景部とで構成されたパターンの模様）を、市松模様、格子模様、水玉模様とする。このような幾何学的な模様であれば、比較的簡単に生成することができる。また、文字が列方向や行方向に連続的（規則的）に配列されている原稿においては、個々の文字にその幾何学的な模様を個別に配置する（合成する）ことも可能であり、これによって文字毎にパターン（幾何学的な模様）を干渉させ可読性を低下させることもできる。すなわち、連続的（規則的）に配列される複数の文字の可読性を低下させる上では、このような幾何学的な模様であれば、個々の文字のサイズに対して適切な大きさや配置の決定が容易であり、高い可読性低下効果が得られる。
【００３６】
なお、原稿上の複数の文字に対し、一種類の模様を全文字共通で使用するようにしてもよく、複数種類の模様を文字毎に使い分けて使用するようにしてもよい。
【００３７】
［１０］［１］〜［９］のいずれか１つに記載の画像生成装置と、
前記画像生成装置によって生成されたパターンを原稿画像に合成した画像を記録紙上に画像形成して出力する画像形成部と、
を有する
ことを特徴とする画像形成装置。
【００３８】
上記発明では、画像生成装置を有する画像形成装置により、画像生成装置によって生成されたパターンを原稿画像に合成した画像を記録紙上に画像形成して出力した原稿、すなわち、複写するとパターンが現れて文字の可読性が低下し、複写抑止効果が高められる原稿を作成することができる。
【００３９】
［１１］複写時に再現される潜像部と、前記潜像部の周囲に配置され複写時に再現されない背景部とで構成されたパターンを生成し原稿画像に合成する画像生成方法であって、
原稿画像に含まれている文字のサイズに従って前記パターンを決定し生成して前記原稿画像に合成する画像処理工程を有する
ことを特徴とする画像生成方法。
【発明の効果】
【００４０】
本発明に係る画像生成装置、画像形成装置、および画像生成方法によれば、複写すると文字の可読性が低下して原稿の複写抑止効果が高められるパターンを生成し原稿画像に合成することができる。
【図面の簡単な説明】
【００４１】
【図１】本発明の実施の形態に係る画像形成装置の概略構成を示すブロック図である。
【図２】原稿の画像の一例を示す図である。
【図３】図２の原稿の画像に地紋画像が合成された状態を示す図である。
【図４】図３の原稿を複写した複写物に現れた中サイズの市松模様を構成するパターンの一例を示す図である。
【図５】図３の原稿を複写した複写物に現れた大サイズの市松模様を構成するパターンの一例を示す図である。
【図６】図３の原稿を複写した複写物に現れた小サイズの市松模様を構成するパターンの一例を示す図である。
【図７】図３の原稿を複写した複写物に現れた潜像部の面積比が大きい市松模様を構成するパターンの一例を示す図である。
【図８】図３の原稿を複写した複写物に現れた背景部の面積比が大きい市松模様を構成するパターンの一例を示す図である。
【図９】図３の原稿を複写した複写物に現れた格子模様を構成するパターンの一例を示す図である。
【図１０】図３の原稿を複写した複写物に現れた水玉模様を構成するパターンの一例を示す図である。
【図１１】地紋画像が合成された他の原稿の画像の一例を示す図である。
【図１２】図１１の原稿を複写した複写物に現れた市松模様を構成するパターンの一例を示す図である。
【図１３】地紋画像が合成された他の原稿の画像の一例を示す図である。
【図１４】図１３の原稿を複写した複写物に現れた市松模様を構成するパターンの一例を示す図である。
【図１５】地紋画像が合成された他の原稿の画像の一例を示す図である。
【図１６】図１５の原稿を複写した複写物に現れた市松模様を構成するパターンの一例を示す図である。
【図１７】画像形成装置の表示部に表示された複写時難読化印刷設定画面を示す図である。
【図１８】複写時難読化印刷設定画面による設定で生成されるパターン（模様）の一例を示す図である。
【図１９】複写時難読化印刷を行う画像形成装置の動作を示す流れ図である。
【発明を実施するための形態】
【００４２】
以下、図面に基づき本発明の実施の形態を説明する。
【００４３】
図１は、本発明の実施の形態に係る画像生成方法によって地紋画像を生成する画像生成装置としての機能を備えた画像形成装置１０の概略構成を示している。画像形成装置１０は、原稿を光学的に読み取ってその複製画像を記録紙に印刷して出力する複写機能、読み取った原稿の画像データをファイルにして保存したり外部端末へネットワークを通じて送信したりするスキャン機能、外部端末からネットワークを通じて受信した印刷データに係る画像を記録紙に印刷して出力するＰＣプリント機能などを備えた装置（所謂、複合機）である。
【００４４】
また、原稿の複写やＰＣプリントを行うに際して、複写対象あるいは印刷対象の画像（文字を含む）の背景に、地紋画像を合成して印刷する地紋印刷の機能を備えている。また、地紋印刷において、複写すると文字が読み難くなるパターンを含んだ地紋画像とするか、そのパターンを含んでいない地紋画像とするかを選択可能になっている。
【００４５】
画像形成装置１０は、当該画像形成装置１０の動作を統括制御する制御部としてのＣＰＵ（Central Processing Unit）１１を備えている。ＣＰＵ１１には、バス１２を通じて画像読取部１３と、印刷部１４と、ＲＯＭ（Read Only Memory）１５と、ＲＡＭ（Random Access Memory）１６と、不揮発メモリ１７と、表示部１８と、操作部１９と、画像処理部２１と、ネットワークＩ／Ｆ部２２と、ハードディスク装置（ＨＤＤ）２３とが接続されている。
【００４６】
ＲＯＭ１５には各種のプログラムが格納されており、これらのプログラムに従ってＣＰＵ１１が処理を実行することにより画像形成装置１０としての各機能（地紋画像を生成する画像生成装置としての機能を含む）が実現される。ＲＡＭ１６はＣＰＵ１１がプログラムを実行する際に各種のデータを一時的に格納するワークメモリや画像データを格納する画像メモリなどとして使用される。
【００４７】
画像読取部１３は、原稿を光学的に読み取って画像データを取得する機能を果たす。画像読取部１３は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。たとえば、画像読取部１３の読み取り解像度は、６００ｄｐｉとなっている。
【００４８】
印刷部１４は、画像データに応じた画像を記録紙に印刷する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、カラーレーザープリンタとして構成されている。他の方式のプリンタであっても構わない。たとえば、印刷部１４の出力解像度は、３６００ｄｐｉとなっている。
【００４９】
不揮発メモリ１７には、システム情報、ユーザ情報などが記憶される。
【００５０】
表示部１８は、液晶ディスプレイ（ＬＣＤ…Liquid Crystal Display）などで構成され、各種の操作画面、設定画面などを表示する機能を果たす。操作部１９は、ユーザからジョブの投入や設定など各種の操作を受け付ける機能を果たす。操作部１９は、表示部１８の画面上に設けられて押下された座標位置を検出するタッチパネルのほかテンキーや文字入力キー、スタートキーなどを備えて構成される。
【００５１】
画像処理部２１は、画像の拡大縮小、回転などの処理のほか、印刷データをイメージデータに変換するラスタライズ処理、画像データの圧縮、伸張処理などを行う。後述する画像合成処理を行うように構成されてもよい。
【００５２】
ネットワークＩ／Ｆ部２２は、ＬＡＮ（Local Area Network）などのネットワークと接続して外部の端末装置やサーバなどと各種のデータを送受信する機能を果たす。
【００５３】
ハードディスク装置２３は、大容量不揮発の記憶装置であり、たとえば、印刷データや画像データの保存に使用される。また、ハードディスク装置２３には、フォントやスタンプ、複写時に再現される模様など地紋画像の生成に使用される各種のデータやパターンが記憶される。なお、これらを不揮発メモリ１７に記憶する構成としてもよい。
【００５４】
地紋画像は、複写時に再現される潜像部（潜像領域）と複写時に再現されない（消失する）背景部（背景領域）とで構成されており、背景部は、分散した小さいドットで描画される。たとえば、３６００ｄｐｉの解像度に対応するドット（小ドットと呼ぶものする。）を、６００ｄｐｉの解像度では再現できない密度で分散配列する。たとえば、３ドット間隔で配列された小ドットを６００ｄｐｉに相当するアパーチャ(たとえば、小ドットを６×６としたサイズの開口)で読み取ると、濃度は、アパーチャ全体にドットがある場合の濃度を１として、４／３６となる。したがって、５０％の閾値で白黒２値にすると、白画素となり、複写時に再現されなくなる。一方、人には、背景部は４／３６の濃度のグレー領域として観察される。
【００５５】
潜像部は、複写時に再現されるドットのみ、もしくは複写時に再現されるドットとこれよりも小さいドット（複写時に再現されなくてもよいドット）とを配列して描画される。たとえば、複写時に再現されなくてもよいドットは上記の小ドットとし、複写時に再現されるドット（大ドットと呼ぶものとする。）は、小ドットを５×５の形状で２５ドット集合させたドットとする。大ドットは、６００ｄｐｉのアパーチャで読み取ると濃度は２５／３６となり、５０％を閾値として白黒２値にすると黒画素となり、複写時に再現される。
【００５６】
地紋画像では、潜像部と背景部とを人の目で判別できなくするために、それらのマクロ的な濃度（平均濃度）は同一にされる。すなわち、上記の例では、背景部の平均濃度は４／３６なので、潜像部では大ドットを十分低密度に配列することになる。たとえば、潜像部において、６０×６０ドットの領域内に大ドットを１０個の割合で分散配置し、その間に１５０個の小ドットを適宜に配列すれば、平均濃度は４００／３６００となり、背景部と同一濃度にすることができる。
【００５７】
次に、複写すると文字が読み難くなるパターンを含んだ地紋画像について説明する。
【００５８】
地紋画像における潜像部は複写時に再現され、背景部は複写時に再現されないことにより、地紋画像が印刷された原稿を複写すると、その複写物では背景部が消えて潜像部が残り、これらの間に高いコントラスト（濃度差）が生じる。この複写物を人が見たときに、潜像部と消失した背景部の間に生じたコントラストを強く知覚させるパターンを構成することで、原稿から複写物に複写された文字をそのパターンのコントラストによって読み難くする。詳細には、原稿を複写してパターンの現れた複写物を人が見たときに、そのパターンにおける潜像部と消失した背景部のコントラストを大きく知覚させ、文字とその背景のコントラストを知覚され難くすることで、原稿から複写物に複写された文字の可読性を低下させる。
【００５９】
たとえば、文字に対してパターンが大きすぎると、パターンは文字と区別して見られ、文字に対する視覚的な干渉が小さくなる。逆に、文字に対してパターンが小さすぎると、パターンのコントラストが識別（知覚）され難くなり、パターンは文字の背景（一様な濃度の背景）として見られ、やはり文字に対する視覚的な干渉が小さくなる。このように、文字に対するパターン（コントラスト）の干渉の大きさは、文字のサイズに依存しており、ここでは、文字の位置とサイズに従ってパターンの大きさ（潜像部と背景部の大きさ）と位置を決定することで、文字に対して適切に干渉するパターンを決定する。
【００６０】
なお、上記のパターンを含んだ地紋画像を原稿に合成印刷することを「複写時難読化印刷」と呼ぶ。以下、文字とパターンの関係について説明する。
【００６１】
図２は、原稿の一例を示している。本例の原稿Ｍ０には、フォントサイズ（ポイント数）が同一とされた複数の文字がほぼ均等な間隔で列方向および行方向に配列され印刷されている。
【００６２】
図３は、図２に示した原稿Ｍ０に、原稿上の画像（文字）の背景として地紋画像が合成印刷された状態を示している。たとえば、画像形成装置１０にて複写時難読化印刷を設定し、図２に示した原稿Ｍ０の複写を行うと、画像形成装置１０は原稿Ｍ０の複写物に地紋画像を背景として合成印刷し出力する。また、外部端末から画像形成装置１０へのＰＣプリントを行う際に、外部端末にて印刷対象の画像（図２の画像）に対し複写時難読化印刷を設定することで、画像形成装置１０はその画像に地紋画像を背景として合成印刷し出力する。この複写時難読化印刷を設定した原稿の複写や画像のＰＣプリントによって、図３に例示した、画像の背景に地紋画像が合成印刷された原稿Ｍ１が作成される。また、地紋画像の濃度は、原稿上の画像（文字）が見難くならないようにするため、その画像の濃度よりも低くされる。
【００６３】
図４は、図３に示した原稿Ｍ１を画像形成装置１０で複写した場合の複写物Ｎ１の一例を示している。複写時には、地紋画像における背景部が消えて白抜きとなり、潜像部が残る。本例の複写物には、消えた背景部による低濃度部（白抜き部）Ｐｂと、残った潜像部による高濃度部Ｐａとによって、図示のような濃淡の市松模様状のパターンＰ１が現れる。
【００６４】
パターンＰ１は、矩形状の高濃度部Ｐａと低濃度部Ｐｂとが列方向と行方向とに交互に連続的に配列された市松模様状のパターンである。１つの文字には、２組の高濃度部Ｐａと低濃度部Ｐｂからなる市松模様が対応して配置されている。たとえば、文字に外接する矩形状の領域（外接矩形領域）の周囲に余白を加えて、文字のサイズよりも一回り大きな矩形状の文字領域を構成し、この文字領域を左上、右上、左下、右下に４分割した各分割領域に、高濃度部Ｐａと低濃度部Ｐｂを点対称に配置する。本例では、１つの高濃度部Ｐａおよび１つの低濃度部Ｐｂの大きさは、文字領域の大きさの１／４である（〔文字領域の高さ×１／２〕×〔文字領域の幅×１／２〕）。また、高濃度部Ｐａと低濃度部Ｐｂの境界に生じる高コントラスト部は、文字上と文字間に位置し、文字の配列周期に同期している。なお、高濃度部Ｐａと低濃度部Ｐｂの配置はこの逆であってもよい。
【００６５】
上記の市松模様状のパターンＰ１が現れた複写物Ｎ１では、市松模様が文字に重なって干渉し、市松模様における高濃度部Ｐａ（潜像部）と低濃度部Ｐｂ（背景部）のコントラストが大きく知覚され、文字とその背景のコントラストが知覚され難くなり、文字が読み難くなる。
【００６６】
図５は、図４に示した市松模様状のパターンＰ１よりもサイズの大きな市松模様状のパターンＰ２の一例を示している。
【００６７】
パターンＰ２は、１つの文字に１つの高濃度部Ｐａまたは１つの低濃度部Ｐｂが対応して配置され、それらが列方向と行方向とに交互に連続的に配列された市松模様状のパターンである。本例では、１つの高濃度部Ｐａおよび１つの低濃度部Ｐｂの大きさは、文字領域の大きさと同じである。また、高濃度部Ｐａと低濃度部Ｐｂの境界に生じる高コントラスト部は、文字の間に位置し、文字の配列周期に同期している。
【００６８】
この市松模様状のパターンＰ２が現れた複写物Ｎ２では、高濃度部Ｐａ（潜像部）と低濃度部Ｐｂ（背景部）のコントラストは知覚されるものの、高濃度部Ｐａと低濃度部Ｐｂの境界に生じるその高コントラスト部が文字の間に位置するため、図４のパターンＰ１に比べて、文字とその背景のコントラストが知覚され易くなり、文字が読み難くなる効果は低下する。しかし、図４のパターンＰ１程ではないが、文字の可読性を低下する効果は発揮される。
【００６９】
図６は、図４に示した市松模様状のパターンＰ１よりもサイズの小さい市松模様状のパターンＰ３の一例を示している。
【００７０】
パターンＰ３は、文字領域を矩形状に６４分割して各分割領域に高濃度部Ｐａと低濃度部Ｐｂを列方向と行方向とに交互に連続的に配列し、１つの文字に３２組の高濃度部Ｐａと低濃度部Ｐｂが対応して配置された市松模様状のパターンである。本例では、１つの高濃度部Ｐａおよび１つの低濃度部Ｐｂの大きさは、文字領域の大きさの１／６４である（〔文字領域の高さ×１／８〕×〔文字領域の幅×１／８〕）。
【００７１】
この市松模様状のパターンＰ３が現れた複写物Ｎ３では、高濃度部Ｐａ（潜像部）と低濃度部Ｐｂ（背景部）のコントラストの周期が文字に対して非常に小さいため、人の目で見るとコントラストが知覚され難くなり、市松模様状のパターン（背景）が一様に認識されてしまう。そのため、図４のパターンＰ１に比べて文字が読み難くなる効果は低下する。また、図５のパターンＰ２と比べても文字が読み易くなっており、文字の可読性を低下する効果が薄れる。
【００７２】
図７と図８は、図４に示した市松模様状のパターンＰ１の変形例であり、高濃度部Ｐａ（潜像部）と低濃度部Ｐｂ（背景部）の面積比を異ならせた場合の一例を示している。
【００７３】
図７は、低濃度部Ｐｂよりも高濃度部Ｐａの面積比が大きい場合の市松模様状のパターンＰ４の一例を示している。このパターンＰ４は、図４のパターンＰ１における１つの文字（文字領域）に対応して配置された市松模様において、左上の高濃度部Ｐａを大きくして文字に重ね、右下の高濃度部Ｐａと右上および左下の低濃度部Ｐｂとを小さくした構成である。
【００７４】
図８は、図７とは逆に、高濃度部Ｐａよりも低濃度部Ｐｂの面積比が大きい場合の市松模様状のパターンＰ５の一例を示している。このパターンＰ５は、図４のパターンＰ１における１つの文字（文字領域）に対応して配置された市松模様において、右上の低濃度部Ｐｂを大きくして文字に重ね、左下の低濃度部Ｐｂと左上および右下の高濃度部Ｐａとを小さくした構成である。
【００７５】
文字の背景に低濃度部Ｐｂ（地紋画像における背景部）が配置されている図８のパターンＰ５は、文字の可読性が高くなっている。一方、文字の背景に高濃度部Ｐａ（地紋画像における潜像部）が配置されている図７のパターンＰ４は、文字の可読性が低くなっており、図４のパターンＰ１と比較しても可読性を低下できている。
【００７６】
図９は、高濃度部Ｐａ（潜像部）を文字に重ねて配置した格子模様状のパターンＰ６の一例を示している。このパターンＰ６は、文字に重ねて、文字のサイズとほぼ同じ大きさの矩形状の高濃度部Ｐａが配置され、この高濃度部Ｐａの周囲（文字同士の間）に、高濃度部Ｐａを囲むように低濃度部Ｐｂが配置されて、格子模様状のパターンを構成している。
【００７７】
図１０は、高濃度部Ｐａ（潜像部）を文字に重ねて配置した水玉模様状のパターンＰ７の一例を示している。このパターンＰ７は、文字に重ねて、文字のサイズとほぼ同じ大きさの楕円状の高濃度部Ｐａが配置され、この高濃度部Ｐａの周囲（文字同士の間）に、高濃度部Ｐａを囲むように低濃度部Ｐｂが配置されて、水玉模様状のパターンを構成している。
【００７８】
パターンＰ６、Ｐ７は、低濃度部Ｐｂが配置されている領域が図７の市松模様状のパターンＰ４より大きいため、低濃度部Ｐｂが強く知覚される。また、文字と高濃度部Ｐａの重なりが大きいため、図５や図８の市松模様状のパターンＰ２、Ｐ５と比較しても可読性が小さくなる効果がある。ただし、主観によるが、図４に示した市松模様状のパターンＰ１と比較して、文字を読むときの嫌悪感は受けにくい。
【００７９】
図１１は、図３とは異なる原稿Ｍ１１の例を示している。本例の原稿Ｍ１１には、文字の他に空き領域（白地領域）が存在している。地紋画像は、この空き領域を含む全領域に印刷されている。
【００８０】
図１２は、原稿Ｍ１１を画像形成装置１０で複写した場合の複写物Ｎ１１の一例を示している。本例の複写物Ｎ１１には、図４で説明した市松模様状のパターンＰ１が空き領域を含む全領域に現れている。この場合も、文字に重なっている市松模様状のパターンＰ１によって、文字の可読性が低下する。
【００８１】
図１３は、図１１に示した原稿に対し、空き領域には地紋画像を印刷せず、文字が印刷されている領域のみに地紋画像を印刷した原稿Ｍ２１の例を示している。
【００８２】
図１４は、原稿Ｍ２１を画像形成装置１０で複写した場合の複写物Ｎ２１の一例を示している。本例の複写物Ｎ２１には、図４で説明した市松模様状のパターンＰ１が、文字が複写された領域のみに現れている。この場合も、文字に重なっている市松模様状のパターンＰ１によって、文字の可読性が低下する。
【００８３】
図１５は、異なるサイズの文字が印刷された原稿Ｍ３１の例を示している。本例の原稿Ｍ３１には、文字の他に空き領域（白地領域）も存在している。地紋画像は、この空き領域を含む全領域に印刷されている。またここでは、文字が印刷されている領域に、潜像部と背景部からなる市松模様状のパターンが配置されており、空き領域に背景部が配置されている。
【００８４】
図１６は、原稿Ｍ３１を画像形成装置１０で複写した場合の複写物Ｎ３１の一例を示している。本例の複写物Ｎ３１には、図４で説明した市松模様状のパターンＰ１が、文字が複写された領域のみに現れている。また、パターンＰ１の大きさは文字のサイズに応じて異なっており、パターンＰ１を構成する高濃度部Ｐａ（潜像部）と低濃度部Ｐｂ（背景部）の大きさは、各文字（文字領域）のサイズに対して約１／４の大きさとなっている。ここでは、サイズの大きい文字に対しては大きいパターンが配置され、サイズの小さい文字に対しては小さいパターンが配置されている。また、文字以外の空き領域に配置されている背景部は消失し、複写物Ｎ３１ではその空き領域が白抜きとなっている。
【００８５】
このように、原稿上の異なるサイズの文字に対しても、複写後には各文字のサイズに応じた大きさのパターン（市松模様状のパターンＰ１）が文字に重なって現れることで、そのパターンによって各文字の可読性が低下する。
【００８６】
なお、文字のサイズが異なる場合は、文字間の空白の幅、高さが異なるため、文字が存在しない空き領域については、一様に背景部または潜像部を配置することが望ましい。
【００８７】
次に、画像形成装置１０が行う複写時難読化印刷の動作について説明する。
【００８８】
図１７は、複写時難読化印刷に関する各種の設定をユーザから受け付ける複写時難読化印刷設定画面５０の一例を示している。複写時難読化印刷設定画面５０は、ＣＰＵ１１の制御により表示部１８に表示される。たとえば、所定のメニュー画面において操作部１９を通じて「複写時難読化印刷設定」の選択操作を受けた場合に表示される。
【００８９】
複写時難読化印刷設定画面５０には各種のラジオボタン５１〜５５と、ＯＫボタン５６と、Ｃａｎｃｅｌボタン５７とが表示され、それらのボタン（操作部１９のタッチパネル）を通じて以下の操作を受け付ける。
【００９０】
複写時難読化印刷ラジオボタン５１により、複写時難読化印刷を行うか否かの選択を受け付ける。模様選択ラジオボタン５２により、複写時難読化印刷を行う場合に、背景部と潜像部からなるパターンの模様について、市松模様とするか、格子模様とするか、水玉模様とするかの選択を受け付ける。白地部分選択ラジオボタン５３により、複写時難読化印刷を行う場合に、文字領域以外の白地部分（空き領域）に、複写時に再現されない背景部のみを配置するか（「複写されない」）、複写時に再現される潜像部のみを配置するか（「複写する」）、選択した模様を配置するか（「模様を印刷」）、背景部、潜像部、選択した模様のいずれも配置しないか（「印刷しない」）の選択を受け付ける。模様サイズ選択ラジオボタン５４により、選択した模様のサイズ（「ふつう」／「ちいさい」）の選択を受け付ける。濃度選択ラジオボタン５５により、地紋画像（選択した模様の潜像部と背景部）の濃度（「こい」／「ふつう」／「うすい」）の選択を受け付ける。
【００９１】
ＣＰＵ１１は、複写時難読化印刷設定画面５０を通じて複写時難読化印刷に関する各種の設定操作を受け付け、ＯＫボタン５６が押下されると、その時点の設定内容を複写時難読化印刷設定情報として不揮発メモリ１７に保存する。また、Ｃａｎｃｅｌボタン５７が押下されると、その時点の設定内容を破棄し前画面に戻る。
【００９２】
なお、濃度の設定については、パターン（模様）を構成する潜像部と背景部の見かけ上の濃度は小さいほうが原稿上の文字は読みやすくなるが、その原稿の複写物における文字の難読化（可読性低下）の効果は小さくなる。逆に濃度が大きければ、原稿上の文字は読み難くなるが、その原稿の複写物における文字の難読化の効果は大きくなる。したがって、適宜なデフォルトの濃度（潜像部と背景部の見かけ上の濃度）を設定しておき、例示した複写時難読化印刷設定画面５０のように、濃度選択ラジオボタン５５などのユーザインタフェースを通じて、ユーザが状況や好みに応じて濃度を設定（変更）できるようにすることが望ましい。
【００９３】
また、地紋画像におけるパターン（潜像部および背景部）は、文字との濃度差よりも白色との濃度差の方が大きくなる濃度にすることが好ましい。これにより、文字と潜像部の濃度差よりも、白色と潜像部、すなわち、原稿を複写した複写物上では再現されない背景部と潜像部の濃度差の方が大きくなり、文字に対してパターンのコントラスト（濃度差）を強く知覚させ、文字の可読性を低下させる効果が高められる。
【００９４】
図１８は、複写時難読化印刷設定画面５０による設定で生成されるパターン（模様）の一例を示している。
【００９５】
画像形成装置１０では、たとえば、市松、格子、水玉の各模様における２つのサイズ（ふつう／ちいさい）に対応する計６種類のパターンのデータを予め作成して、ハードディスク装置２３（または不揮発メモリ１７）に記憶しておく。そして、複写時難読化印刷設定画面５０により設定（選択）された種類およびサイズに対応するパターンのデータを、文字のサイズに応じて伸長または縮小してその文字に対応するパターンを生成し、その文字に重ねて配置する。
【００９６】
詳細には、画像形成装置１０は、複写対象あるいは印刷対象の画像に含まれている文字を、文字認識などによって一文字単位で認識し、各文字の位置とサイズを検出する。文字のサイズは、認識した文字に外接する矩形の領域（外接矩形領域）を、その文字のサイズとして検出する。すなわち、文字の外接矩形領域における高さを、その文字の高さ（Ｈｓ）として検出し、文字の外接矩形領域における幅を、その文字の幅（Ｗｓ）として検出し、これらの検出した高さと幅から文字のサイズ（Ｓ）を取得する。
文字のサイズ（外接矩形領域）：Ｓ＝Ｈｓ×Ｗｓ
【００９７】
また、文字の周囲に余白（マージン）を加えた、文字のサイズ（外接矩形領域）より一回り大きい領域を、文字領域として確保する。ここでは、文字の上下左右にそれぞれ１０％の余白を加えるようにしており、文字の高さと幅をそれぞれ１．２倍して文字領域（Ｔ）を確保する。
文字領域：Ｔ＝Ｈｔ×Ｗｔ
文字領域の高さ：Ｈｔ＝Ｈｓ×１．２
文字領域の幅  ：Ｗｔ＝Ｗｓ×１．２
【００９８】
本例における６種類のパターンのデータは、この文字領域に対応するように作成されている。たとえば、パターンのデータは、正方形で所定のサイズ（基準サイズ）に形成する。この場合の高さと幅は、６ｍｍなどにしてもよい。仮に、文字領域の高さと幅が共に６ｍｍ（Ｔ＝６ｍｍ×６ｍｍ）であれば、この文字領域に含まれる文字の高さと幅は共に５ｍｍ（Ｓ＝５ｍｍ×５ｍｍ）ということになる。
【００９９】
市松模様におけるふつうサイズのパターンのデータは、図７のパターンＰ４に相当するものである。このパターンＰ４は、文字のサイズに占める左上の潜像部Ｐａ（高濃度部）の面積比率が８１％で、右上の潜像部Ｐａの面積比率が９％であり、右上と左下の背景部Ｐｂ（低濃度部）の面積比率がそれぞれ９％となっている。
【０１００】
市松模様におけるちいさいサイズのパターンのデータは、図４のパターンＰ１に相当するものである。このパターンＰ１は、文字のサイズに占める左上と右下の潜像部Ｐａおよび右上と左下の背景部Ｐｂの面積比率がそれぞれ２５％となっている。
【０１０１】
格子模様におけるふつうサイズのパターンのデータは、図９のパターンＰ６に相当するものである。このパターンＰ６は、潜像部Ｐａの高さが文字の高さと同じで、潜像部Ｐａの幅が文字の幅の０．９５倍となるように設定されており、文字のサイズに占める潜像部Ｐａの面積比率が９５％となっている。また、潜像部Ｐａの左右に位置する背景部Ｐｂが文字のサイズに占める面積比率はそれぞれ２．５％となっている。
【０１０２】
格子模様におけるちいさいサイズのパターンのデータは、上記のパターンＰ６に対して潜像部Ｐａを小さくしたものである。このパターンＰ８は、潜像部Ｐａの高さと幅が文字の高さと幅のそれぞれ０．７倍となるように設定されており、文字のサイズに占める潜像部Ｐａの面積比率が約５０％となっている。また、潜像部Ｐａを囲む背景部Ｐｂが文字のサイズに占める面積比率は約５０％となっている。
【０１０３】
水玉模様におけるふつうサイズのパターンのデータは、図１０パターンＰ７に相当するものである。このパターンＰ７は、潜像部Ｐａの高さと幅が文字の高さと幅のそれぞれ１．１倍となるように設定されており、文字のサイズに占める潜像部Ｐａの面積比率が約９０％となっている。また、文字のサイズ内において潜像部Ｐａの左上、右上、左下、右下に位置する各背景部Ｐｂが文字のサイズに占める面積比率はそれぞれ約２．５％となっている。
【０１０４】
水玉模様におけるちいさいサイズのパターンのデータは、上記のパターンＰ７に対して潜像部Ｐａを小さくしたものである。このパターンＰ９は、潜像部Ｐａの高さと幅が文字の高さと幅のそれぞれ０．８倍となるように設定されており、文字のサイズに占める潜像部Ｐａの面積比率が約５０％となっている。また、潜像部Ｐａを囲む背景部Ｐｂが文字のサイズに占める面積比率は約５０％となっている。
【０１０５】
画像形成装置１０は、上記の各パターンのデータを使用して、文字に重ねるパターン（合成パターン）を生成し、生成したパターンをその文字に重ねて配置する。詳細には、パターンのデータを文字領域と同じ大きさにするよう、高さ方向／幅方向に伸長または縮小して合成パターンを生成し、その合成パターンを文字領域に位置を合わせて配置することにより、その合成パターンを文字に重ねて配置する。
【０１０６】
図１８では、上記の６種類のパターンについて、各パターンのデータを使用して、文字のサイズに従って生成した合成パターンを文字（本例では「あ」）に重ねて配置した例を示している。なお、パターンのデータを伸縮して生成した合成パターンを文字領域に合わせて配置しても、相似の関係により、文字のサイズに占める潜像部Ｐａと背景部Ｐｂの面積比率は、元のパターンのデータと同じになる。
【０１０７】
また、本例の複写時難読化印刷設定画面５０では、パターン（模様）のサイズを選択し設定することができる。ただし、ユーザがパターンのサイズを任意に変更できるわけではない。画像形成装置１０は、文字毎に生成するパターンのサイズを、文字のサイズに従って決定した許容範囲内で変更する。本例では、許容範囲内における上限側の「ふつう」と下限側の「ちいさい」のうちの選択・設定された方に変更する。なお、本例ではパターンのサイズの選択肢を「ふつう」と「ちいさい」の２つにしているが、３つ以上として（たとえば、３つの場合は「おおきい」を追加するなど）、許容範囲内での選択肢を増やすようにしてもよい。
【０１０８】
図１９は、複写時難読化印刷を行う場合の画像形成装置１０の動作の流れを示している。なお、特に断らない限り、各パターンの生成、合成等の画像処理はＣＰＵ１１が行うものとするが、一部の特定の処理を画像処理部２１で行う構成としてもよい。また、本動作では、複写時難読化印刷設定画面５０の白地部分選択ラジオボタン５３により、文字領域以外の白地部分に背景部のみを配置する選択がなされた場合（「複写されない」）を例に説明する。
【０１０９】
ＣＰＵ１１は、画像読取部１３に対してコピー対象の原稿の読み取りを要求し、その原稿に対応する原稿画像データを入力してＲＡＭ１６に保存する（ステップＳ１０１）。なお、原稿画像データは、パーソナルコンピュータなどの外部端末からネットワークＩ／Ｆ部２２を通じて入力されてもよいし、パーソナルコンピュータなどの外部端末からネットワークＩ／Ｆ部２２を通じて受信した印刷データをＣＰＵ１１でラスタライズして取得してもよい。原稿画像データの取得方法は問わない。
【０１１０】
ＣＰＵ１１は、複写時難読化印刷設定画面５０で受け付けた複写時難読化印刷設定情報を不揮発メモリ１７から読み出して参照し、複写時難読化印刷の要求がなされているか否かを確認する（ステップＳ１０２）。複写時難読化印刷の要求なしの場合は（ステップＳ１０２；Ｎｏ）、印刷部１４に対して、ステップＳ１０１で取得した原稿画像データの印刷を要求し（ステップＳ１１１）、処理を終了する。
【０１１１】
複写時難読化印刷の要求がなされている場合は（ステップＳ１０２；Ｙｅｓ）、ＣＰＵ１１は、原稿（原稿画像データ）の大きさと同じ大きさの合成画像作成用の領域をＲＡＭ１６上に確保し、複写時難読化印刷設定情報に従い所定のドットでフィルする（ステップＳ１０３）。本例では、文字領域以外の白地部分に背景部のみを配置する選択がなされており、この場合は、複写時に再現されないドット、すなわち、背景部を構成するドットでフィルする。
【０１１２】
なお、白地部分に潜像部のみを配置する選択がなされている場合は、複写時に再現されるドット、すなわち、潜像部を構成するドットでフィルする。また、白地部分に模様（パターン）を配置する選択がなされている場合は、選択された模様（市松模様または格子模様または水玉模様）を構成するように、複写時に再現されるドットと複写時に再現されないドット（潜像部と背景部からなるパターンを構成するドット）でフィルする。この場合の模様を構成する潜像部と背景部の大きさは、たとえば、初期設定による一定の大きさにするようにしてもよい。また、初期設定による一定の大きさを、複写時難読化印刷設定画面５０の模様サイズ選択ラジオボタン５４により選択された模様のサイズ（「ふつう」／「ちいさい」）に応じて変更した大きさにするようにしてもよい。また、白地部分に背景部、潜像部、模様のいずれも配置しない選択がなされている場合は、ドットを打たない。
【０１１３】
次に、ＣＰＵ１１は、ＲＡＭ１６に保存した原稿画像データに含まれている文字の存在有無の確認位置を設定し（ステップＳ１０４）、文字があるか否かを確認する（ステップＳ１０５）。たとえば、原稿（原稿画像データ）の左上位置を最初（始端）の確認位置に設定し、その位置から右方向への主走査および下方向への副走査により、確認位置を左上方向から右下方向へ向けて順次移動させて、各確認位置における文字の存在有無を、ページ全体をカバーするようにサーチする。また、他の位置を最初の確認位置に設定し、別の方向に確認位置を順次移動させて、各確認位置における文字の存在有無を、ページ全体をカバーするようにサーチするようにしてもよい。この最初の確認位置やサーチ方向は問わない。
【０１１４】
設定した確認位置に文字が存在した場合は（ステップＳ１０５；Ｙｅｓ）、ＣＰＵ１１は、当該文字の位置とサイズを取得し（ステップＳ１０６）、複写時難読化印刷設定情報における模様の種類、サイズ、濃度と、取得した文字のサイズに従い、当該文字に対して合成するパターン（模様）の種類、サイズ、濃度を決定し、そのパターンを生成する（ステップＳ１０７）。
【０１１５】
文字のサイズの取得については、文字認識により一文字単位で文字を認識し、その認識した文字の高さと幅を検知してサイズを取得するなど、その取得方法は問わない。また、文字に対して合成するパターンは、図１８で説明したように、ハードディスク装置２３（または不揮発メモリ１７）に記憶してある各種のパターン（模様）のデータを使用し、文字のサイズ（文字のサイズから構成した文字領域のサイズ）に基づいて作成する。
【０１１６】
ＣＰＵ１１は、合成画像作成用の領域における、ステップＳ１０６で取得した文字の位置に対応する位置に、生成したパターン（合成パターン）を配置する（ステップＳ１０８）。そして、ステップＳ１０４へ戻り、次の文字の存在有無の確認位置を設定し、以降のステップを同様に繰り返す。
【０１１７】
設定した確認位置に文字が存在しなかった場合は（ステップＳ１０５；Ｎｏ）、ＣＰＵ１１は、サーチ位置が原稿画像データの終端か否かを確認する（ステップＳ１０９）。サーチ位置が原稿画像データの終端に達していない場合は（ステップＳ１０９；Ｎｏ）、ステップＳ１０４へ戻り、次の文字の存在有無の確認位置を設定し、以降のステップを同様に繰り返す。
【０１１８】
サーチ位置が原稿画像データの終端に達した場合は（ステップＳ１０９；Ｙｅｓ）、ＣＰＵ１１は、ＲＡＭ１６上の原稿画像データと合成用画像データを合成する（ステップＳ１１０）。この合成においては、作成した合成用画像（潜像部と背景部からなるパターンを含んだ地紋画像）が原稿画像の背景となるように両画像データを合成する。そして、印刷部１４に対して、合成した画像データの印刷を要求し（ステップＳ１１１）、処理を終了する。
【０１１９】
このように、画像形成装置１０は複写時難読化印刷を行うと、潜像部と背景部とで構成されたパターンを、原稿画像に含まれている文字のサイズに従って決定し生成して、そのパターンを含んだ地紋画像を原稿画像に合成する。この地紋画像（パターン）の合成された原稿画像を印刷し、この印刷物である原稿を画像形成装置１０で複写すると、その複写物には原稿の画像が複写されると共に、再現された潜像部と再現されない背景部とで構成されたパターンが現れる。
【０１２０】
これにより、原稿を複写してパターンの現れた複写物を見ると、パターンのコントラストが大きく知覚され、文字とその背景のコントラストが知覚され難くなって（パターンのコントラストが文字に干渉して）、文字が読み難くなる。このように、原稿から複写物に複写された文字は、複写物に現れたパターンのコントラストによって可読性が低下するので、原稿の複写抑止効果が高められる。
【０１２１】
特に本実施の形態では、原稿画像に含まれている文字の位置とサイズを取得し、文字の位置に対するパターンの相対位置を調整していることで、文字の可読性をより低下させることができる。詳細には、図４、図５、図７、図９、図１０などに示したように、潜像部を文字に重ねて配置することで、潜像部と、潜像部の周囲に配置する背景部との境界に生じる高コントラスト部が文字の近傍もしくは文字に重なって配置されるようになる。たとえば、図７、図９、図１０などに示したように、文字とほぼ同じ大きさの潜像部を文字の中心に重ねて配置した場合には、文字の周囲に高コントラスト部が配置される。図４などに示したように、文字よりも小さい潜像部を文字に重ねて配置した場合には、文字に高コントラスト部が重なって配置される。これにより、文字に対してパターンのコントラストを強く知覚させ、文字の可読性を低下させる効果が高められる。
【０１２２】
また、文字に対して潜像部が大きすぎたり小さすぎたりすると、潜像部と背景部の間に生じるコントラストの周期が文字に対して大きすぎたり小さすぎたりすることとなり、文字に対してパターンのコントラストを大きく知覚させる効果が薄れ、文字を読み難くする効果が薄れる。たとえば、図６に示したように、文字に対して潜像部が小さくなりすぎ、コントラストの周期が文字に対して小さくなりすぎると、パターン（背景）が一様に認識されてしまい、文字を読み難くする効果が薄れる。
【０１２３】
そこで、潜像部を文字のサイズ未満から１／４以上の範囲の大きさにする（図１８参照）。これにより、文字に対してパターンのコントラストを適正な周期で配置できるようになり、文字に対してパターンのコントラストをより強く知覚させ、文字の可読性を著しく低下させることができる。
【０１２４】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１２５】
たとえば、文字の可読性を低下させるパターンは、実施の形態で説明したように文字の配列周期に同期させて配置するなど、文字の位置に従って配置する必要はない。文字の位置に関わらずにランダムに配置するようにしてもよい。また、パターンの種類（形状）については、実施の形態で例示した一定の幾何学的な模様に限らず、複数の幾何学的な模様を組み合わせたり、波型やランダムな模様にしたりするなどしてもよい。
【０１２６】
また、大ドット、小ドットのサイズは、実施の形態に例示したものに限定されない。大ドットは複写時に再現されるドットであればよく、また、小ドットは、大ドットより小さいドットであればよい。また、１ドットは、単独のドットでもよいし、より小さい複数ドットの集合体であってもよい。
【０１２７】
実施の形態では、画像形成装置１０を例に説明したが、画像読取部１３や印刷部１４などを具備せず、パターンを含む地紋画像を生成し、入力された画像の背景にこれを合成した画像データを生成する画像生成装置として構成されてもよい。また、画像生成装置としての機能は、コンピュータ装置に所定のプログラムを実行させることで実現されてもよく、本発明は該プログラムとされてもよい。
【符号の説明】
【０１２８】
１０…画像形成装置
１１…ＣＰＵ
１２…バス
１３…画像読取部
１４…印刷部
１５…ＲＯＭ
１６…ＲＡＭ
１７…不揮発メモリ
１８…表示部
１９…操作部
２１…画像処理部
２２…ネットワークＩ／Ｆ部
２３…ハードディスク装置
５０…複写時難読化印刷設定画面
５１…複写時難読化印刷ラジオボタン
５２…模様選択ラジオボタン
５３…白地部分選択ラジオボタン
５４…模様サイズ選択ラジオボタン
５５…濃度選択ラジオボタン
５６…ＯＫボタン
５７…Ｃａｎｃｅｌボタン
Ｍ０、Ｍ１、Ｍ１１、Ｍ２１、Ｍ３１…原稿
Ｎ１、Ｎ２、Ｎ３、Ｎ１１、Ｎ２１、Ｎ３１…複写物
Ｐ１、Ｐ２、Ｐ３、Ｐ４、Ｐ５、Ｐ６、Ｐ７、Ｐ８、Ｐ９…パターン
Ｐａ…高濃度部（潜像部）
Ｐｂ…低濃度部（背景部）
【図１】
2012109748.tif 000003
【図２】
2012109748.tif 000004
【図１７】
2012109748.tif 000005
【図１９】
2012109748.tif 000006
【図３】
2012109748.tif 000007
【図４】
2012109748.tif 000008
【図５】
2012109748.tif 000009
【図６】
2012109748.tif 000010
【図７】
2012109748.tif 000011
【図８】
2012109748.tif 000012
【図９】
2012109748.tif 000013
【図１０】
2012109748.tif 000014
【図１１】
2012109748.tif 000015
【図１２】
2012109748.tif 000016
【図１３】
2012109748.tif 000017
【図１４】
2012109748.tif 000018
【図１５】
2012109748.tif 000019
【図１６】
2012109748.tif 000020
【図１８】
2012109748.tif 000021